(57)【要約】      （修正有）【課題】重ね布上に豊富な色と模様の変化を持つ装飾効果を形成でき、重ね合わせ箇所の縫製強度を高めた、布の重ね縫い目構造を提供する。【解決手段】布の重ね縫い目構造は、一辺が重ね合わされた少なくとも２枚の重ね布２０と、４本の等間隔に並列され、且つ前記重ね布の重ね合わせ箇所を貫通する縫い糸３１〜３４と、前記縫い糸と交わり、且つ前記重ね布の上方に位置する上装飾糸４０と、前記縫い糸と絡み合わされ、且つ前記重ね布の下方に位置する下糸を含み、そのうち前記縫い糸が第１縫い糸３１、第２縫い糸３２、第３縫い糸３３、第４縫い糸３４を含み、且つそれぞれ前記重ね布に縫い込まれて連続かつ相互に平列した第１列穿孔５１、第２列穿孔５２、第３列穿孔５３、第４列穿孔５４を形成し、前記上装飾糸が少なくとも２本あり、そのうち少なくとも１本が第１上装飾糸４１であり、別の少なくとも１本が第２上装飾糸４２である。【選択図】図２
0003161009.tif 000002
【実用新案登録請求の範囲】
【請求項１】
布の重ね縫い目構造であって、前記重ね縫い目構造が、一辺が重ね合わされた少なくとも２枚の重ね布と、４本の等間隔に並列され、且つ前記重ね布の重ね合わせ箇所を貫通する縫い糸と、前記縫い糸と交わり、且つ前記重ね布上方に位置する上装飾糸と、前記縫い糸と絡み合わされ、且つ前記重ね布下方に位置する下糸を含み、そのうち、
前記縫い糸が第１縫い糸、第２縫い糸、第３縫い糸と第４縫い糸を含み、且つそれぞれ前記重ね布に縫い込まれて連続かつ相互に平列した第１列穿孔、第２列穿孔、第３列穿孔と第４列穿孔を形成し、前記上装飾糸が少なくとも２本あり、そのうち少なくとも１本が第１上装飾糸であり、前記第１上装飾糸が前記第４列穿孔の右側から同列の前記第３列穿孔の後方に向かって延伸され、且つ前記第３縫い糸と前記第４縫い糸の下方に押さえられ、同列の前記第３列穿孔と前記第２列穿孔の間を通り、且つ同列の前記第２列穿孔の前方に向かって延伸され、前記第２縫い糸で重ね布に固定され、さらに同列の前記第２列穿孔と前記第１列穿孔の間を通り、次の一列の前記第４列穿孔の右側に向かって延伸され、且つ前記第２縫い糸、前記第３縫い糸、前記第４縫い糸で重ね布に固定され、さらに前記上装飾糸の少なくとも別の１本が第２上装飾糸であり、前記第２上装飾糸が、前記第４列穿孔の右側から同列の前記第３列穿孔の後方に向かって延伸され、且つ前記第３縫い糸と前記第４縫い糸の下方に押さえられ、同列の第３列穿孔と第２列穿孔の間を通り、同列の第１列穿孔の前方に向かって延伸され、且つ前記第２縫い糸と前記第１縫い糸で重ね布に固定され、さらに同列の前記第１列穿孔の左側を通り、次の一列の前記第４列穿孔の右側に向かって延伸され、且つ前記第１縫い糸、前記第２縫い糸、前記第３縫い糸、前記第４縫い糸で重ね布に固定されることを特徴とする、布の重ね縫い目構造。
【請求項２】
前記布の重ね縫い目構造において、そのうち前記上装飾糸が、前記第１上装飾糸と前記第２上装飾糸の２本のみであることを特徴とする請求項１に記載の布の重ね縫い目構造。
【請求項３】
前記布の重ねて継ぎ合わせる縫い目構造において、そのうち前記第１上装飾糸と前記第２上装飾糸が異なる色または異なる材質であるか、或いは前記上装飾糸と前記縫い糸が異なる色または異なる材質であることを特徴とする請求項１又は請求項２に記載の布の重ね縫い目構造。
【考案の詳細な説明】
【技術分野】
【０００１】
本考案は重ね布の縫い目構造に関し、特にミシンを運用して２枚の重ね布の重ね合わせ箇所を縫合する縫い目構造に関する。
【背景技術】
【０００２】
生活水準の向上につれ、外見の身だしなみが重視されるようになり、人々は流行やファッションを追求するようになった。このため、紡織工業技術の成熟と材料技術の発展、そしてファッションデザイナーの多様で複雑なデザインに合わせ、ミシン裁縫の方法も進歩する必要がある。
【０００３】
図１（ａ）及び図１（ｂ）に従来の縫い目構造の部分平面図と部分拡大平面図を示す。これらの図から明確なように、ミシンで縫合された従来の縫い目構造１は、開始から終了まで１本の上装飾糸３が４本の縫い糸２に押さえられて縫合されているのみであり、このため次のような問題点を有する。
１．ミシンが左重ね布４と右重ね布５の重ね合わせ箇所で形成する従来の縫い目構造１は、色が１色の上装飾糸３と縫い糸２の２種類しかないため、模様が単調である。
２．従来の縫い目構造１は、左重ね布４と右重ね布５の重ね合わせ箇所の接合強度が不足気味である。
【考案の概要】
【考案が解決しようとする課題】
【０００４】
本考案の主な目的は、従来の縫い目構造の課題を解決し、本考案は、重ね布上に豊富な色と模様の変化を持つ装飾効果を形成できるだけでなく、継ぎ合わせ布の重ね合わせ箇所の縫製強度を高めることができる、重ね縫い目構造を提供することにある。
【課題を解決するための手段】
【０００５】
上述の目的を達するため、本考案の布の重ね縫い目構造は、布の重ね縫い目構造であって、前記重ね縫い目構造が、一辺が重ね合わされた少なくとも２枚の重ね布と、４本の等間隔に並列され、且つ前記重ね布の重ね合わせ箇所を貫通する縫い糸と、前記縫い糸と交わり、且つ前記重ね布上方に位置する上装飾糸と、前記縫い糸と絡み合わされ、且つ前記重ね布下方に位置する下糸を含み、そのうち、前記縫い糸が第１縫い糸、第２縫い糸、第３縫い糸と第４縫い糸を含み、且つそれぞれ前記重ね布に縫い込まれて連続かつ相互に平列した第１列穿孔、第２列穿孔、第３列穿孔と第４列穿孔を形成し、前記上装飾糸が少なくとも２本あり、そのうち少なくとも１本が第１上装飾糸であり、前記第１上装飾糸が前記第４列穿孔の右側から同列の前記第３列穿孔の後方に向かって延伸され、且つ前記第３縫い糸と前記第４縫い糸の下方に押さえられ、同列の前記第３列穿孔と前記第２列穿孔の間を通り、且つ同列の前記第２列穿孔の前方に向かって延伸され、前記第２縫い糸で重ね布に固定され、さらに同列の前記第２列穿孔と前記第１列穿孔の間を通り、次の一列の前記第４列穿孔の右側に向かって延伸され、且つ前記第２縫い糸、前記第３縫い糸、前記第４縫い糸で重ね布に固定され、さらに前記上装飾糸の少なくとも別の１本が第２上装飾糸であり、前記第２上装飾糸が、前記第４列穿孔の右側から同列の前記第３列穿孔の後方に向かって延伸され、且つ前記第３縫い糸と前記第４縫い糸の下方に押さえられ、同列の第３列穿孔と第２列穿孔の間を通り、同列の第１列穿孔の前方に向かって延伸され、且つ前記第２縫い糸と前記第１縫い糸で重ね布に固定され、さらに同列の前記第１列穿孔の左側を通り、次の一列の前記第４列穿孔の右側に向かって延伸され、且つ前記第１縫い糸、前記第２縫い糸、前記第３縫い糸、前記第４縫い糸で重ね布に固定されることを特徴とする。
【０００６】
本考案の布の重ね縫い目構造は、そのうち前記上装飾糸が、前記第１上装飾糸と前記第２上装飾糸の２本のみであることを特徴とする。
【０００７】
本考案の布の重ね縫い目構造は、前記第１上装飾糸と前記第２上装飾糸が異なる色または異なる材質であるか、或いは前記上装飾糸と前記縫い糸が異なる色または異なる材質であることを特徴とする。
【考案の効果】
【０００８】
本考案は従来技術と比較して次のような効果がある。
１．本考案の継ぎ合わせ布上の上装飾糸は色により変化を持たせることができるため、その表現する模様によりレイヤー感を持たせることができる。
２．本考案の継ぎ合わせ布の重ね縫いの箇所は、縫い目の強度が優れている。
【図面の簡単な説明】
【０００９】
【図１】図１（ａ）は従来の縫い目構造の部分平面図である。図１（ｂ）は、図１（ａ）の部分拡大図である。
【図２】図２（ａ）は本考案の重ね縫い目構造の最良の実施例の部分平面図である。図２（ｂ）は、本考案の図２（ａ）の部分拡大図である。
【図３】本考案の重ね縫い目構造の及び縫い合わせ中のミシンの局部構造の外観図である。
【図４】図４（ａ）は本考案の図３の連続動作を示す平面図である。図４（ｂ）は本考案の図３の連続動作を示す平面図である。図４（ｃ）は本考案の図３の連続動作を示す平面図である。
【考案を実施するための形態】
【００１０】
図２（ａ）及び図２（ｂ）に本考案の重ね縫い目構造の実施例の部分平面図と部分拡大図をそれぞれ示す。図に示すように、本考案の重ね縫い目構造は、縫い目構造１０が、一端が重ね合わされた少なくとも２枚の裁縫をするための重ね布２０（左重ね布２１と右重ね布２２）と、４本の等間隔に並列され、重ね布２０の重ね合わせた箇所を貫通する縫い糸３０と、縫い糸３０と交わり、重ね布２０上方に位置する上装飾糸４０と、縫い糸３０と絡み合わされ、重ね布２０下方に位置する下糸（下糸は重ね布の下方で縫い糸と絡み合わされる従来の技術であるため、図示せず）を含む。
【００１１】
縫い糸３０は第１縫い糸３１、第２縫い糸３２、第３縫い糸３３及び第４縫い糸３４からなり、重ね布２０に縫い込まれて連続かつ相互に平行に並列された第１列穿孔５１、第２列穿孔５２、第３列穿孔５３及び第４列穿孔５４がそれぞれ形成される。上装飾糸４０は少なくとも第１上装飾糸４１及び第２上装飾糸４２の２本からなり、そのうち１本が第１上装飾糸４１である。第１上装飾糸４１の配置は右重ね布２２上の第４列穿孔５４１の右側の位置を始点として説明すると、左方向の同列の第３列穿孔５３１及び５３２の間後方に向かって延伸され、その際に、上方から第３縫い糸３３及び第４縫い糸３４によって右重ね布２２に固定される。次に第１上装飾糸４１は第２列穿孔５２を一周するように第３列穿孔５３１と第２列穿孔５２１の間を通って第２縫い糸３２によって上方から固定され、第２列穿孔５２１と第１列穿孔５１１の間を通り、方向を変えて右側に向かって延伸され、第２列穿孔５２１と第２列穿孔５２２通って第２縫い糸３２によって上方から固定される。そして、前述の左方向に延伸した第１上装飾糸４１とほぼ並行して第４列穿孔５４の近接する位置まで戻る。その際に、上方から第３縫い糸３３及び第４縫い糸３４によって右重ね布２２に固定される。
【００１２】
第２上装飾糸４２は、第４列穿孔５４１の右側の位置を始点として説明すると、左方向の同列の第３列穿孔５３１及び５３２の間に向かって延伸され、その際に、上方から第３縫い糸３３及び第４縫い糸３４によって右重ね布２２に固定される。同列の第３列穿孔５３１と第２列穿孔５２１の間を通り、同列の第１列穿孔５１１に向かって左方向に延伸され、その際に、上方から第２縫い糸３２と第１縫い糸３１によって右重ね布２２に固定される。次に第２上装飾糸４２は第１列穿孔５１を一周するように設置され、さらに同列の第１列穿孔５１１及び５２１の間を通り、前述の左方向に延伸した第１上装飾糸４１とほぼ並行して、第４列穿孔５４１及び第４列穿孔５４２の間に向かって左方向に延伸される。この時、第１縫い糸３１、第２縫い糸３２、第３縫い糸３３及び第４縫い糸３４によって上方から右重ね布２２に固定される。そして、第４列穿孔５４の近接する位置まで戻る。
【００１３】
第１上装飾糸４１と第２上装飾糸４２は異なる色及び／又は異なる材質の糸を使用することができ、また、上装飾糸４０と縫い糸３０も異なる色及び／又は異なる材質とすることができる。
上述の技術手段により、本考案の重ね布２０上の上装飾糸４０は色に多様なバリエーションを持たせることができるため、表現できる模様によりレイヤー感を持たせることができる。また同時に、本考案の重ね布２０が重ね縫いされた箇所は、縫合の縫い目構造１０の強度も向上される。
【００１４】
図３に本考案の重ね縫い目構造の実施例及び運用されるミシンの局部構造の立体外観図を示す。また同時に図４（ａ）乃至図４（ｃ）に、図３の局部の連続動作を示す平面図を示す。
まず、図３に示すように、本考案の重ね縫い目構造１０はミシン縫製装置６０を運用する必要があり、ミシン縫製装置６０は、少なくとも４本の縫い糸３０が通された縫い針（符号を付さない）を備え、縫製の動作を行うことができる縫い針セット７０と、上装飾糸４０が通された張力部材９０と、上装飾糸４０と縫い糸３０の交わる位置を制御するガイドユニット８０を含み、ガイドユニット８０は糸ガイド８１と糸フック８２から構成される。図４（ａ）乃至図４（ｃ）に示すように、縫い針セット７０が最も下方から上に向かって移動を開始すると、重ね布２０がゆっくりと前方（図４（ａ）の上向き矢印方向）に移動し、同時に糸フック８２が最も左側の位置から右側に向かって軸回動を開始し、さらに図４（ａ）に示すように、糸ガイド８１が最も右側の位置から左側に向かって軸回動を開始する。上装飾糸４０の第１上装飾糸４１及び第２上装飾糸４２が糸ガイド８１にそれぞれ挿通されているため、糸ガイド８１が左に向かって軸回動して移動すると、第１上装飾糸４１と第２上装飾糸４２が同期して移動し、このとき右に向かって軸回動して移動している糸フック８２の先端部に設けられた凹部が糸ガイド８１から重ね布２０に延伸された第１上装飾糸４１と第２上装飾糸４２をうまく捕捉する。重ね布２０は継続して前方にゆっくりと移動しており、図４（ｂ）に示すように、縫い針セット７０が重ね布２０上の第１列穿孔５１１、第２列穿孔５２１、第３列穿孔５３１及び第４列穿孔５４１から離れる。このとき、図４（ｃ）に示すように、糸ガイド８１がまだ継続して左に向かって軸回動しており、糸ガイド８１が第１上装飾糸４１と第２上装飾糸４２に接触する箇所まで移動して、縫い針セット７０の前方に位置し、糸フック８２も継続して右に向かって軸回動し、縫い針セット７０の右側まで移動する。次に、縫い針セット７０及び縫い糸３０を左重ね布２１と右重ね布２２に穿入させた後、下糸と絡み合わせ（下糸は図示しない）ることで、一列の第１列穿孔５１２、第２列穿孔５２２、第３列穿孔５３２及び第４列穿孔５４２が生成される。糸ガイド８１が右に向かって軸回動して移動を開始し、糸フック８２も同期して左に向かって軸回動して移動を開始し、第１上装飾糸４１と第２上装飾糸４２を解放した図４（ａ）に示す状態に戻る。
【００１５】
こうして、ミシン縫製装置６０が繰り返し動作を行うと、一辺が重ね合わされた左重ね布２１と右重ね布２２に、４本の等間隔に並列された縫い糸３０が重ね合わせ箇所を貫通し、第１上装飾糸４１の配置は右重ね布２２上の第４列穿孔５４１の右側の位置を始点として説明すると、左方向の同列の第３列穿孔５３１及び５３２の間に向かって延伸され、その際に、上方から第３縫い糸３３及び第４縫い糸３４によって右重ね布２２に固定される。次に第１上装飾糸４１は第２列穿孔５２を一周するように第３列穿孔５３１と第２列穿孔５２１の間を通って第２縫い糸３２によって上方から固定され、同第２列穿孔５２１と第１列穿孔５１１の間を通り、方向を変えて右側に向かって延伸され、前述の左方向に延伸した第１上装飾糸４１とほぼ並行して第４列穿孔５４の近接する位置まで戻る。その際に、上方から第２縫い糸３２、第３縫い糸３３及び第４縫い糸３４によって右重ね布２２に固定される。
【００１６】
第２上装飾糸４２は、第４列穿孔５４１の右側の位置を始点として説明すると、左方向の同列の第３列穿孔５３１及び５３２の間に向かって延伸され、その際に、上方から第３縫い糸３３及び第４縫い糸３４によって右重ね布２２に固定される。同列の第３列穿孔５３１と第２列穿孔５２１の間を通り、同列の第１列穿孔５１１に向かって左方向に延伸され、その際に、上方から第２縫い糸３２と第１縫い糸３１によって右重ね布２２に固定される。次に第２上装飾糸４２は第１列穿孔５１を一周するように設置され、さらに同列の第１列穿孔５１１及び５２１の間を通り、前述の左方向に延伸した第１上装飾糸４１とほぼ並行して、第３列穿孔５４１及び第４列穿孔５４２の間に向かって左方向に延伸される。この時、第１縫い糸３１、第２縫い糸３２、第３縫い糸３３及び第４縫い糸３４によって上方から右重ね布２２に固定された縫い目構造１０が形成される。
【００１７】
上述の説明は本考案の最良の実施例を示したまでであり、本考案の実施範囲を限定しない。本考案の請求の範囲に記載された内容を運用した同等効果を有する変化や修飾はすべて、本考案の技術範疇に含まれる。
【符号の説明】
【００１８】
１        縫い目構造
２        縫い糸
３        上装飾糸
４        左重ね布
５        右重ね布
１０      縫い目構造
２０      重ね布
２１      左重ね布
２２      右重ね布
３０      縫い糸
３１      第１縫い糸
３２      第２縫い糸
３３      第３縫い糸
３４      第４縫い糸
４０      上装飾糸
４１      第１上装飾糸
４２      第２上装飾糸
５１      第１列穿孔
５１１    第１列穿孔
５２      第２列穿孔
５２１    第２列穿孔
５３      第３列穿孔
５３１    第３列穿孔
５４      第４列穿孔
５４１    第４列穿孔
５４２    第４列穿孔
６０    ミシン縫製装置
７０    縫い針セット
８０    ガイドユニット
８１    糸ガイド
８２    糸フック
９０    張力部材
【図１】
0003161009.tif 000003
【図２】
0003161009.tif 000004
【図３】
0003161009.tif 000005
【図４】
0003161009.tif 000006